(57)【要約】【課題】フラワーアレンジメントの花止めとしては、吸水性スポンジが実用に供されているが、これは使い捨てであり、環境に良くない問題点がある。網や線材で形成した花止めは、花の固定度に問題がある。その他、簡単な花止めは市販されているが、いずれもしっかりした花型をとることはできない。【解決手段】花器に適合した花を挿花するように、金属線材、金網、樹脂網などで立体的に形成されたフレームとこのフレームに張り巡らせた被覆ワイヤーとで構成したフラワーアレンジメント花止めである。張り巡らせた被覆ワイヤーは、網目のように固定されたものではなく、少しずれて花を止める融通性があるため、花を挿花したいところで固定できる。水平に挿花する花は、被覆ワイヤーと被覆ワイヤーの間に茎を挟んだ状態で固定される。繰り返し使用が可能で、花の茎も傷めず花の固定に優れた、花型がとれるエコロジカルなフラワーアレンジメントの花止めを提供できる。【選択図】図１３
2012066042.tif 000002
【特許請求の範囲】
【請求項１】
フラワーアレンジメントの花止めであって、花器に収容、又は、フィット、もしくは、花器の開き口の上に載せた状態で使用する、花を挿花するように立体形状に形成したフレーム（骨格）とこのフレームに張り巡らせた被覆ワイヤーとで構成されるを特徴とするフラワーアレンジメント花止め。
【発明の詳細な説明】
【技術分野】
【０００１】  本発明は、環境に考慮した、エコロジカルなフラワーアレンジメントの花止めであり、花の固定度を図ったフラワーアレンジメントの花止めに関する。
【背景技術】
【０００２】  フラワーアレンジメントの花止めとして最も多く使用されているのは、吸水性スポンジが実用に供されている。【０００３】  前記、吸水性スポンジの他、網目や穴状に花を挿花するものが実用に供されている。【０００４】
【特許文献】特開２０１０−６３８６６号公報  この特許文献に記載された発明は、線材や網材で花を挿花するように形づくったフレームにカール部材を覆い被せた状態で使用する花止めである。【０００５】  上記の他に、ワイヤーを丸く幾重にも丸めたものが市販されている。【０００６】  コイル状になった花止めも市販されている。【０００７】  前記以外にも、生け花の花止めとしては、剣山が実用に供されている。
【発明の開示】
【発明を解決しようとする課題】
【０００８】  フラワーアレンジメントの花止めとして、一般的に使用されている吸水性スポンジは、使い捨てであり、多くのゴミを出すものであり、環境上好ましいものではない。
【０００９】  網目や穴状に、花を挿花する花止めは、花の固定に技術を要するものである。
【００１０】  特開２０１０−６３８６６号公報に、記載された発明は、線材や網材で花を挿花するように形づくったフレームにカール部材を覆い被せた状態で使用する花止めであり、花の固定度には優れているものの、カール部材は、長く使用していると硬くなることが判明、花の茎を傷め、花を抜く時、茎にカール部材が巻きつくという欠点が判明した。
【００１１】  剣山は、生け花の花止めとしては適しているが、フラワーアレンジメントの花止めとしては、水平に挿花できず、故に、剣山単独では、フラワーアレンジメントの花止めとしては適切なものではない。
【００１２】  ワイヤーを丸めた花止めは、数本の花を挿花することはできるが、花の花型をとることはできない。
【００１３】  コイルの状の花止めも数本の花を支えることはできても、花型をきめることはできない。
【００１４】  本発明は、繰り返し使用することが可能で、花の固定度を追及した花止めであり、環境に考慮したエコロジカルなフラワーアレンジメントを実現することを目的としたものである。
【課題を解決するための手段】
【００１５】  そして、本発明は、上記目的を達成するために、金属の線材や網材、樹脂網で、花器に適合し、花を挿花するように形成したフレーム（骨格）に、被覆したワイヤーをフレームの内外に張り巡らせたものである。
【発明の効果】
【００１６】  フレームに張り巡らせた被覆ワイヤーは、網目のように固定されたものではないので、花を挿花する時、被覆ワイヤーが少しずれて花を固定するという融通性があるため、花の茎を傷めることなく、花を挿花したいところで花を固定し、水平に挿花する花は、被覆ワイヤーと被覆ワイヤーの間に茎を挟んだ状態で花を固定する効果を発揮する。
【００１７】  上述したように、本発明のフラワーアレンジメント花止めは、繰り返し使用が可能で、従来の網状・穴状花止めより花を挿花したいところで花を固定できるエコロジカルなフラワーアレンジメントの花止めを提供できる。
【図面の簡単な説明】
【００１８】
【図１】丸棒状被覆ワイヤーの正面図
【図２】帯状被覆ワイヤーの正面図
【図３】ステンレスフレーム２の平面図
【図４】ステンレスフレーム２の側面図
【図５】スレンレス花止め２０の平面図
【図６】スレンレス花止め２０の側面図
【図７】花止め２０を背の高い花器に使用した参考図
【図８】花止め２０を背の低い花器に使用した参考図
【図９】ステンレスフレーム３の平面図
【図１０】ステンレスフレーム３の側面図
【図１１】ステンレスフレーム３の斜視図
【図１２】スレンレス花止め３０の斜視図
【図１３】スレンレス花止め３０の底部に剣山を配した花止めの側面図
【図１４】図１３の花止めを花器に入れ使用した参考図。
【図１５】リース用フレーム５の平面図
【図１６】リース用花止め５０の平面図
【図１７】リース用花止め５０を花器に入れ使用した参考図
【図１８】樹脂網フレーム６の平面図
【図１９】樹脂網フレーム６の側面図
【図２０】樹脂網花止め６０の平面図
【図２１】樹脂網花止め６０の側面図
【図２２】樹脂網花止め６０を花器にセットした断面図
【図２３】図２２を使用した参考図
【符号の説明】
【００１９】１ａ  丸棒被覆ワイヤー
１１  ワイヤー（芯）
１２  丸棒被覆材
１ｂ  帯状被覆ワイヤー
１３  帯状被覆材
２    ステンレスフレーム
２０  花止め
２１  ステンレス線材
２２  ステンレス網材
３３  花
７    花器
３    ステンレスフレーム
３０  花止め
４    剣山
５    ステンレス網フレーム
５０  リース用花止め
６    樹脂網フレーム
６０  樹脂網花止め
【発明を実施するための最良の形態】
【００２０】  花止めのフレームの形態は色々なものが想定されるが、例として図１〜図２３に基づいて説明する。【００２１】  図１、図２においては、１ａは０．４ｍｍ程度のワイヤー１１に、ポリエステル、ビニール等で、丸棒状に被覆した直径１．５ｍｍ〜２ｍｍ程度の被覆ワイヤー。１ｂは、０．４ｍｍ程度のワイヤー１１に、ポリエステル、ビニール等で帯状に被覆した幅４ｍｍ程度の被覆ワイヤーである。【００２２】  花止めのフレームの材質は、金属線材、金網、樹脂網等を使用する。【００２３】  図３、図４においては、ステンレス線材２１で円形の枠を作った中に井桁状の線を入れ、中央部にステンレス金網２２で円筒形の突起部を設けた円形状ステンレスフレーム２である。【００２４】  図５、図６においては、円形状ステンレスフレーム２に被覆ワイヤー１ａを張り巡らせた花止め２０である。【００２５】  図７においては、花止め２０を背の高い花器７の上に載せ、花３３を挿花した参考図である。【００２６】  図８においては、花止め２０を片方の手に持って大体の花を挿花したものを、背の低い花器７に移し、空いているところを埋めて完成させた参考図である。【００２７】  図９、図１０、図１１においては、ステンレス線材で形成した円筒形状のフレーム３である。【００２８】  図１２においては、円筒形状ステンレスフレーム３に被覆ワイヤー１ａを張り巡らせた花止め３０である。【００２９】  図１３においては、花止め３０の下に剣山４を配した図である。【００３０】  図１４においては、図１３の花止め３０と剣山４を配した花止めを、水を張った花器７に入れ、フラワーアレンジメントの基本型の１種であるトライアングルの形に花を挿花した参考図である。【００３１】  前記、花止め３０に剣山４を加えることで基本型のレッスン用花止めを提供することができる。【００３２】フラワーアレンジメントの基本型をマスターした後に、色々な生け方へ発展、デザインの世界へ進めると思われる故に、基本型がつくれるエコロジカルな花止めは重要なものである。【００３３】  図１５においては、金網で形成したフラワーアレンジメントのリース用のフレーム５である【００３４】  図１６においては、リース用フレーム５に被覆ワイヤー１ａを巻きつけたリース用花止め５０である。【００３５】  図１７においては、リース用花止め５０を花器に入れ、花３３を挿花した参考図である。【００３６】  図１８、図１９においては、樹脂網で形成した円筒形状のフレーム６である。【００３７】  図２０、図２１においては、樹脂網フレーム６に被覆ワイヤー１ａを張り巡らせた花止め６０である。【００３８】  図２２においては、花器の直径の内径にフィットし、高さは花器より１ｃｍ程高く作成した樹脂網フレーム６に、被覆ワイヤー１ａを張り巡らせた花止め６０を花器７に入れた状態の断面図。【００３９】  図２３においては、図２２の花器７に花止め６０をセットした状態のものに、水を張り、花３３を挿花した参考図である。【００４０】  樹脂網でつくるフレームは、それぞれの花器の中にフィットしたものが作成できるので、花止めが動かず、重りも必要ない。【００４１】  樹脂網は、ハサミで切断することができ、それぞれの花器に合わせたフレームを、誰でも簡単に作成が可能であり、価格的にも安価なものが提供できる。【００４２】  樹脂網のフレームに被覆ワイヤーを張り巡らせた花止めは、身近な雑器でも花器になり花型をとったフラワーアレンジメントを実現することが可能である。【００４３】  前記、丸棒被覆ワイヤー１ａは、フラワーアレンジメントの花型、花材により、帯状被服ワイヤー１ｂに換えて使用可能である。
【産業上の利用可能性】
【００４４】  エコロジカルなフラワーアレンジメントが情操教育の面からも、小・中・高等学校のクラブ活動等に積極的に取り入れられればと思います。荒涼とした今だからこそ強く感じます。自然に親しみ優しい心を取り戻してほしいと願います。
【図１】
2012066042.tif 000003
【図２】
2012066042.tif 000004
【図３】
2012066042.tif 000005
【図４】
2012066042.tif 000006
【図５】
2012066042.tif 000007
【図６】
2012066042.tif 000008
【図７】
2012066042.tif 000009
【図８】
2012066042.tif 000010
【図９】
2012066042.tif 000011
【図１０】
2012066042.tif 000012
【図１１】
2012066042.tif 000013
【図１２】
2012066042.tif 000014
【図１３】
2012066042.tif 000015
【図１４】
2012066042.tif 000016
【図１５】
2012066042.tif 000017
【図１６】
2012066042.tif 000018
【図１７】
2012066042.tif 000019
【図１８】
2012066042.tif 000020
【図１９】
2012066042.tif 000021
【図２０】
2012066042.tif 000022
【図２１】
2012066042.tif 000023
【図２２】
2012066042.tif 000024
【図２３】
2012066042.tif 000025